(57)【要約】【課題】  吸口体に、少なくとも衝撃力を吸口本体が水平面内で自動的に回動することで吸収する機能と、吸口継手部を手動操作によりねじることによっても吸口本体を水平面内で回動させることができる機能の、２つの機能を備えさせる。【解決手段】  底面に吸込口を有する吸口本体４の長手方向中央部の一側に水平回動自在に吸口継手取付用ケース５を取り付け、吸口継手取付用ケースと吸口本体との間には、一方が回動したときに常態位置に戻すための復帰力が蓄えられる復帰手段を介在設置し、吸口継手取付用ケースには、常態位置下における吸口本体長手方向に沿う基本回転軸を有する第１吸口継手８を上下揺動可能に取り付け、第１吸口継手には、常態位置下における第１吸口継手の基本回転軸に直交する第１軸線上に配置されて、第１軸線に斜めに交差する第２軸線を中心に揺動可能に第２吸口継手９を取り付ける。【選択図】        図１
2005312535.tif 000002
【特許請求の範囲】
【請求項１】
底面に吸込口を有する吸口本体と、
前記吸口本体の長手方向中央部の一側に水平回動自在に取り付けられて前記吸込口に連通する吸口継手取付用ケースと、
前記吸口継手取付用ケースと前記吸口本体との間に介在設置されて、前記吸口継手取付用ケースまたは前記吸口本体の一方が回動したときに常態位置に戻すための復帰力が蓄えられる復帰手段と、
前記常態位置下における前記吸口本体長手方向に沿う基本回転軸を有し、前記吸口継手取付用ケースに上下揺動可能に取り付けられた第１吸口継手と、
前記常態位置下における前記第１吸口継手の基本回転軸に直交する第１軸線上に配置され、かつ該第１軸線に斜めに交差する第２軸線を中心に揺動可能に、前記第１吸口継手に取り付けられた第２吸口継手と、
を備えることを特徴とする電気掃除機の吸口体。
【請求項２】
吸口継手取付用ケースを、後部が開放された略半円状に形成したことを特徴とする請求項１記載の電気掃除機の吸口体。
【請求項３】
吸口継手取付用ケースの回動と連動して回転軸の向きが基本回転軸と常に平行となるように後車輪を設けたことを特徴とする請求項１又は請求項２記載の電気掃除機の吸口体。
【請求項４】
第２吸口継手の揺動中心部の下方に起毛布または車輪を設けたことを特徴とする請求項１又は請求項２記載の電気掃除機の吸口体。
【請求項５】
起毛布または車輪の位置を、常態位置下における第１吸口継手の基本回転軸に直交する第１軸線上に配置したことを特徴とする請求項４記載の電気掃除機の吸口体。
【発明の詳細な説明】
【技術分野】
【０００１】
本発明は、電気掃除機の吸口体、特に操作性を向上させ得る電気掃除機の吸口体に関する。
【背景技術】
【０００２】
従来より、底面に吸込口を有する吸口本体に、常態位置から左右へ揺動可能に吸口継手を接続するとともに、この吸口継手を揺動させたときにこれを常態位置に戻すための復帰力が蓄えられる復帰手段を設けた電気掃除機の吸口体が知られている（例えば特許文献１参照）。
【０００３】
このようなものにおいて、吸口体が壁や家具等（特に家具や机の脚等）に衝突すると、吸口本体が吸口継手に対し自動的に相対回動して衝撃力を吸収する。これにより、壁や家具または吸口体が傷つくのが防止される。
【０００４】
【特許文献１】特開２００１−３４０２６９号公報
【発明の開示】
【発明が解決しようとする課題】
【０００５】
しかしながら、吸口継手を常態位置から左右へ揺動させる部分に常時復帰力が蓄えられるようにしたものにあっては、吸口体の進行方向を変更させる場合、ホース持ち手の進行方向そのもの、つまり使用者の体ごと進行方向を変えなければならない。
【０００６】
また、吸口体をその本体長手方向の幅（常態下における吸口本体部の横幅）より狭い隙間に入れる際、進入時はホース持ち手の進行方向（操作力）が復帰手段の復帰力に抗する方向に作用するので、吸口本体を隙間の側壁に押し付けて吸口継手を常態位置から回動させ、吸口体に隙間への進入が可能な姿勢を簡単にとらせることができて問題ない。しかし、隙間から引き抜く際は、ホース持ち手の進行方向（操作力）が復帰手段による復帰力を助長する方向、つまり隙間の側壁等に対し吸口本体をかじる方向に作用し易くなり、引出すことが非常に困難となる。この問題は、復帰手段が許容する吸口継手回動可能範囲が大きくなればなる程、蓄勢力が高まるため深刻となる。
【０００７】
ところで、復帰手段を備えていない吸口体において、異形管からなる吸口継手を吸口本体に回動可能に取り付け、吸口継手部をねじることによって吸口本体を水平面内で相対的に回動させ得るようにして、常態下における吸口本体部の横幅よりある程度狭い隙間に吸口体を出し入れすることができるようにしたものが市販されているが、このようなものにおいては吸口体が壁や家具等（特に家具や机の脚等）に衝突した場合、この衝撃力を吸収することができず、壁や家具または吸口体そのものを傷つけてしまう虞れがある。また、吸口継手が異形管からなるため、直進姿勢をとる常態下において吸口体の高さ寸法を圧縮できず、常態下の直進姿勢のまま高さ方向に狭い空間に吸口体を出し入れすることはできなかった。
【０００８】
いずれにせよ、一般的に用いられている緩衝材であるバンパー以外に、吸口体が壁や家具等に衝突した場合の衝撃力を吸口本体が水平面内で自動的に回動することで吸収する機能と、吸口継手部をねじることによっても吸口本体を水平面内で回動させ得る機能の２つの機能を併せ持つ吸口体はこれまで存在していない。さらに、これら２つの機能に加えて、直進姿勢をとる常態下において吸口体の高さ寸法を圧縮する姿勢をとらせ、高さ方向に狭い空間にも吸口体を出し入れできる機能を持たせることについては、このような発想すらこれまで存在していない。
【０００９】
本発明の第１の技術的課題は、吸口体に、少なくとも衝撃力を吸口本体が水平面内で自動的に回動することで吸収する機能と、吸口継手部を手動操作によりねじることによっても吸口本体を水平面内で回動させることができる機能の、２つの機能を備えさせるようにすることにある。
また、本発明の第２の技術的課題は、前記２つの機能に加えて、直進姿勢をとる常態下において吸口体の高さ寸法を圧縮できるようにすることにある。
【課題を解決するための手段】
【００１０】
本発明の電気掃除機の吸口体は、底面に吸込口を有する吸口本体と、吸口本体の長手方向中央部の一側に水平回動自在に取り付けられて吸込口に連通する吸口継手取付用ケースと、吸口継手取付用ケースと吸口本体との間に介在設置されて、吸口継手取付用ケースまたは吸口本体の一方が回動したときに常態位置に戻すための復帰力が蓄えられる復帰手段と、常態位置下における吸口本体長手方向に沿う基本回転軸を有し、吸口継手取付用ケースに上下揺動可能に取り付けられた第１吸口継手と、常態位置下における第１吸口継手の基本回転軸に直交する第１軸線上に配置され、かつ第１軸線に斜めに交差する第２軸線を中心に揺動可能に、該第１吸口継手に取り付けられた第２吸口継手と、を備えるものである。
【発明の効果】
【００１１】
本発明の電気掃除機の吸口体においては、吸口体が壁や家具等（特に家具や机の脚等）に衝突しても、吸口継手取付用ケースの水平回動範囲であれば吸口本体が吸口継手取付用ケースに対し自動的に相対回動して衝撃力を吸収し、壁や家具または吸口体が傷つくのを防止することができる。さらに、家具や机の脚部分を通過した後、復帰手段の復帰力によって、吸口本体が元の位置に復帰しても、第２吸口継手すなわちホース持ち手をひねることで、吸口本体を手動回動させることができるので、吸口体の引き時に吸口本体の後端が再度、家具や机の脚等と干渉するのを防止することができる。このため、使い勝手が向上する。
【００１２】
また、このようにホース持ち手をひねり、第２吸口継手を第２軸線を中心に揺動させることで、第２吸口継手を吸口継手取付用ケースの水平回動範囲限度から更に回動させることができるので、吸口本体の長手方向と第２吸口継手に接続される延長管の筒軸方向とを簡単に略平行とすることができて、吸口継手取付用ケースの水平回動範囲を超えるような狭い隙間の掃除が容易となる。
【００１３】
さらに、このように水平回動を、復帰手段の復帰力が蓄えられる吸口継手取付用ケースの回動（１段目回動）と、第２吸口継手の揺動による回動（２段目回動）とからなる２段階で行なわせることで、復帰手段が許容する吸口継手取付用ケースの水平回動可能範囲を小さくすることができて、その分、蓄勢力を抑えることができる。このため、狭い隙間から吸口体を引き抜く際の、復帰力に伴う吸口本体のかじりの問題を大幅に低減することができる。
【発明を実施するための最良の形態】
【００１４】
以下、図示実施形態により本発明を説明する。
図１は本発明の一実施形態に係る電気掃除機の吸口体の全体構成を示す斜視図、図２はその上面図およびＡ−Ａ線矢視断面図、図３はその下面図、図４はその側面図、図５はその全体を上方より示す分解斜視図、図６はその吸口継手部組立体を下方より示す分解斜視図、図７はその全体を下方より示す分解斜視図、図８はその吸口本体における上ケースの下面図および上下ケースの組付状態の側面図、図９はその吸口本体における下ケースの上面図、図１０乃至図１５はいずれもその動作の説明図である。
【００１５】
本実施形態の電気掃除機の吸口体は、底面に吸込口１を有する下ケース２及びその上部を覆う上ケース３からなる吸口本体４と、吸口本体４の長手方向中央部の一側に水平回動自在に取り付けられて吸込口１に連通する吸口継手取付用ケース５と、吸口継手取付用ケース５と吸口本体４との間に介在設置されて、吸口継手取付用ケース５または吸口本体４の一方が回動したときに常態位置（図１乃至図３の状態）に戻すための復帰力が蓄えられる復帰手段すなわちねじりばね６（図５及び図９）と、常態位置下における吸口本体４の長手方向に沿う基本回転軸７（図５乃至図７）を有し、吸口継手取付用ケース５に基本回転軸７を中心に上下揺動可能に取り付けられた第１吸口継手８と、常態位置下における第１吸口継手８の基本回転軸７に直交する第１軸線１０（図２）上に配置されかつ第１軸線１０に斜め（略４５度の角度）に交差する第２軸線２０（図２）を中心に左右各９０度（合計略１８０度）揺動可能に第１吸口継手８に取り付けられた第２吸口継手９と、を備えている。
【００１６】
これを更に詳述すると、吸口本体４の下ケース２の吸込口１には、これを覆うように回転清掃体１１が配置され、回転清掃体１１の両端が上下ケース３，２により回転自在に支持されるようになっている。また、下ケース２の長手方向中央部の一側には、図５及び図９のように底部より小径のばね掛け円筒１２が突出して設けられ、ばね掛け円筒１２に、後述の大径のばね掛け円筒を介してねじりばね６のコイル部が嵌め入れられている。また、下ケース２の底部におけるばね掛け円筒１２の周囲には、前方に、ねじりばね両端を引っ掛けてその復帰位置（常態位置）を規定するための円弧状のばね係止壁１３が起立して設けられているとともに、後方に、吸口継手取付用ケース５を案内するための円弧状のガイド壁１４が起立して設けられ、さらにガイド壁１４の両端に、ねじりばね６の回転を規制して、吸口継手取付用ケース５の回動範囲を左右各４５度（合計略９０度）に規定するストッパリブ１５ａ，１５ｂが起立して設けられている。
なお、既述したように第２吸口継手９は、第１と第２吸口継手８，９の共通の軸線である第１軸線１０に斜め（略４５度の角度）に交差する第２軸線２０を中心に左右各９０度（合計略１８０度）揺動可能となっている。しかし、この第２吸口継手９の揺動角度は、上方から平面的にみると図１２のように左右それぞれに約４５度（合計約９０度）となる。したがって、第２吸口継手９の揺動角度に前述の吸口継手取付用ケース５の水平回動角度（左右各４５度）を加えた２段階の角度操作により、吸口本体４に対する第２吸口継手９の揺動角度を平面的にみて左右それぞれに約９０度（合計約１８０度）とすることができるようになっている。
【００１７】
吸口本体４の上ケース３には、吸口継手取付用ケース５の取付部位に、後部が開放された略半円状の切欠部１６が形成され、この切欠部１６内で吸口継手取付用ケース５が相対回動できるようになっている。
【００１８】
吸口継手取付用ケース５は、継手取付用上ケース１７と継手取付用下ケース１８とからなり、これら上下ケース１７，１８の左右の内面に、第１吸口継手８の左右の基本回転軸７（一方のみ図示）を、これらの共通軸線が常態位置下において吸口本体４の長手方向に沿う方向となるように支承する凹部（一方のみ図示）２１，２２が形成されている。また、継手取付用下ケース１８には、その下面に、吸口本体４の下ケース２のばね掛け円筒１２にスライド自在に外嵌して回動中心の位置決めがなされるとともにねじりばね６のコイル部が嵌め入れられる大径のばね掛け円筒２３（図２及び図６）が垂下して設けられている。また、継手取付用下ケース１８の下面におけるばね掛け円筒２３の周囲には、前方に、吸口本体４の下ケース２の係止壁１３の円弧の内側、つまりねじりばね６の両端間に嵌入して、ねじりばね６によってその復帰位置（常態位置）に保持される円弧状のばね係止壁２４（図２及び図６）が垂下して設けられているとともに、後方に、吸口本体４の下ケース２のガイド壁１４の円弧の内側にスライド自在に嵌入して案内されるスライド壁２５が垂下して設けられている。
【００１９】
継手取付用上ケース１７には、後部が開放された略半円状の切欠部２６が形成され、これによって、第１吸口継手８の基本回転軸７を中心とした上下揺動範囲（特に下限範囲）を大きくすることができるようになっている。このため、常態位置下において、第１吸口継手８から第２吸口継手９、図示しない延長管、ホース持ち手までの組立体を床面に対し平行とすることができて、吸口体全体の高さを低くすることができるようになっている。このため、家具やベッドの下など、高さ方向に狭い空間にも吸口体を出し入れして掃除することができるようになり、使い勝手が向上している。
【００２０】
なお、吸口本体４には、前縁部にバンパー２７が取り付けられているとともに、その下ケース２の前端の両側に、その前縁部から下面にかけて前側の支持体となる起毛布片２８ａ，２８ｂ（図７）がそれぞれ着脱自在に装着され、さらに下ケース２の後端の第２軸線２０（図２参照）を挟む両側に、後側の支持体となる、起毛布が巻かれた後車輪２９ａ，２９ｂが、車軸を吸口本体４の長手方向と平行となるように取り付けられている。
【００２１】
次に、前述のように構成された本実施の形態の電気掃除機の吸口体の動作について図１０乃至図１５に基づき図１乃至図９を参照しながら説明する。まず、通常の床面や絨毯の掃除は、吸口体の前後進に合わせて図１０のように第１吸口継手８以降の管体が基本回転軸７を中心に上下揺動する。この場合、第１吸口継手８以降の管体を最下端まで揺動させれば、図４のように第１吸口継手８からホース持ち手までの組立体が床面に対し平行となり、吸口体全体の高さが低くなって、家具やベッドの下など、高さ方向に狭い空間の掃除が可能となる。
【００２２】
また、前進時、吸口体が壁や家具等（特に家具や机の脚等）に衝突すると、図１１のように吸口本体４が吸口継手取付用ケース５に対して自動的に相対回動し、衝撃力を吸収して壁や家具または吸口体が傷つくのが防止される。家具や机の脚等の部分を通過し、家具や机の脚等と吸口体の干渉状態が解消されれば、ねじりばね６の復帰力により吸口本体４が元の位置（常態位置）に復帰する。後進時、家具や机の脚等に再度衝突する可能性がある場合は、ホース持ち手を操作して第２吸口継手９をねじる。これにより、吸口継手取付用ケース５をねじりばね６の復帰力による常態位置に保持させたまま、吸口本体４を第２吸口継手９に対し水平面内で回動させることができ、家具や机の脚等との衝突を回避することができる。
【００２３】
また、壁際や狭い隙間を掃除する場合は、図１２乃至図１５のように吸口本体４を壁に押し付けて、吸口本体４に対し吸口継手取付用ケース５を相対回動させ、さらに第２吸口継手９を揺動させて、吸口本体４と第２吸口継手９を平行状態にし、この状態で壁への押付力を保持しながら壁に沿って前後進させる。
【００２４】
このように、本実施形態の電気掃除機の吸口体においては、吸口体が壁や家具等に衝突した場合の衝撃力を吸口本体４が水平面内で自動的に回動することで吸収する機能と、第２吸口継手９をねじることによっても吸口本体４を水平面内で回動させ得る機能の２つの機能を持たせることができ、使い勝手が向上する。
【００２５】
また、前記２つの機能に加えて、継手取付用上ケース１７に、後部が開放された略半円状の切欠部２６を形成し、第１吸口継手８の基本回転軸７を中心とした上下揺動範囲（特に下限範囲）を大きくしているので、吸口体の高さを低くすることができて、家具やベッドの下など、高さ方向に狭い空間の掃除が容易となり、使い勝手が一層向上する。加えて、第１と第２吸口継手８，９が、常態位置下においては共通の軸線である第１軸線１０上にストレートに配置（図２及び図４）されるようになっているので、第１吸口継手８から第２吸口継手９、図示しない延長管、ホース持ち手までの組立体を床面に対し平行とすることができて、吸口体全体の高さを低くすることができる。このため、高さ方向に狭くかつ奥行のある空間にも容易に吸口体を出し入れして掃除することができる。
【００２６】
また、ホース持ち手をひねり、第２吸口継手９を第２軸線２０を中心に揺動させることで、第２吸口継手９を吸口継手取付用ケース５の水平回動範囲限度から更に回動させることができるので、吸口本体４の長手方向と第２吸口継手９に接続される延長管の筒軸方向とを簡単に略平行とすることができて、吸口継手取付用ケース５の水平回動範囲を超えるような狭い隙間の掃除が容易となる。
【００２７】
また、このように水平回動を、ねじりばね６の復帰力が蓄えられる吸口継手取付用ケース５の回動（１段目回動）と、第２吸口継手９の揺動による回動（２段目回動）とからなる２段階で行なわせるようにしているので、復帰手段であるねじりばね６が許容する吸口継手取付用ケース５の水平回動可能範囲を小さくすることができて、その分、ばね力（蓄勢力）を抑えることができる。このため、吸口本体４の長手方向と第２吸口継手９に接続される延長管の筒軸方向とを略平行とする吸口体姿勢を保持する際の使用者側の操作力が軽減され、狭い隙間から吸口体を引き抜く際の吸口本体４のかじりの問題を大幅に低減することができる。
【００２８】
なお、ここでは吸口本体４の下ケース２の後端の第２軸線２０（図２参照）を挟む両側に、後側の支持体となる、起毛布が巻かれた後車輪２９ａ，２９ｂを、車軸が吸口本体４の長手方向と平行となるように取り付けるようにしたものを例に挙げて説明したが、これに限るものでなく、例えば車軸の向きが吸口継手取付用ケース５の基本回転軸７と常に平行となるように後車輪を設けてもよく、このようにすることで、吸口体を斜めに移動したとき（図１１）や壁際走行時（図１５）における操作性を改善することができる。
【００２９】
また、第２吸口継手９の揺動中心部の下方に位置するように、起毛布または車輪等からなる後側支持体を配置してもよく、このようにすることで、第２吸口継手９を左右に揺動させたときの後側支持体部の床面との摩擦等が最小限となり、吸口体のあらゆる角度においても後側支持体の追従性が損なわれることがなくなる。
【００３０】
また、起毛布または車輪等からなる後側支持体の位置を、常態位置下における第１吸口継手８の基本回転軸７に直交する第１軸線１０（図２参照）上に配置すれば、吸口体の操作力の著しく軽減が可能となり、使い勝手がさらに向上する。なお、起毛布または車輪等からなる後側支持体の数は、１つでも又は２つ以上設けてもよく、適宜設定すればよい。
【図面の簡単な説明】
【００３１】
【図１】本発明の一実施形態に係る電気掃除機の吸口体の全体構成を示す斜視図である。
【図２】本実施形態に係る電気掃除機の吸口体の上面図およびＡ−Ａ線矢視断面図である。
【図３】本実施形態に係る電気掃除機の吸口体の下面図である。
【図４】本実施形態に係る電気掃除機の吸口体の側面図である。
【図５】本実施形態に係る電気掃除機の吸口体の全体を上方より示す分解斜視図である。
【図６】本実施形態に係る電気掃除機の吸口体の吸口継手部組立体を下方より示す分解斜視図である。
【図７】本実施形態に係る電気掃除機の吸口体の全体を下方より示す分解斜視図である。
【図８】本実施形態に係る電気掃除機の吸口体の吸口本体における上ケースの下面図および上下ケースの組付状態の側面図である。
【図９】本実施形態に係る電気掃除機の吸口体の吸口本体における下ケースの上面図である。
【図１０】本実施形態に係る電気掃除機の吸口体の動作の説明図である。
【図１１】本実施形態に係る電気掃除機の吸口体の動作の説明図である。
【図１２】本実施形態に係る電気掃除機の吸口体の動作の説明図である。
【図１３】本実施形態に係る電気掃除機の吸口体の動作の説明図である。
【図１４】本実施形態に係る電気掃除機の吸口体の動作の説明図である。
【図１５】本実施形態に係る電気掃除機の吸口体の動作の説明図である。
【符号の説明】
【００３２】
１  吸込口、４  吸口本体、５  吸口継手取付用ケース、６  ねじりばね（復帰手段）、７  基本回転軸、８  第１吸口継手、９  第２吸口継手、１０  第１軸線、２０  第２軸線、２６  半円状の切欠部、２９ａ，２９ｂ  後車輪。
【図１】
2005312535.tif 000003
【図２】
2005312535.tif 000004
【図３】
2005312535.tif 000005
【図４】
2005312535.tif 000006
【図５】
2005312535.tif 000007
【図６】
2005312535.tif 000008
【図７】
2005312535.tif 000009
【図８】
2005312535.tif 000010
【図９】
2005312535.tif 000011
【図１０】
2005312535.tif 000012
【図１１】
2005312535.tif 000013
【図１２】
2005312535.tif 000014
【図１３】
2005312535.tif 000015
【図１４】
2005312535.tif 000016
【図１５】
2005312535.tif 000017